(57)【要約】【課題】主に、空気ダクトの空気の、カップホルダーの側への漏れなどを抑制・低減できるようにする。【解決手段】飲料容器２を収容可能な容器収容部１１と、  容器収容部１１の近傍に配設された空気ダクト１２の空気１３の一部を容器収容部１１の内部へ導く空気導入部１４と、を備えたカップホルダー３に関する。  空気導入部１４が、  容器収容部１１に設けられた空気孔１５を覆うように、容器収容部１１に取付けられる中空のケーシング１６と、  ケーシング１６に設けられた空気ダクト１２に対する連通口１７を密閉および開放するシャッター部１８と、  シャッター部１８を開閉操作する操作部１９とを備える。【選択図】図２
2020147216.tif 000002
【特許請求の範囲】
【請求項１】
飲料容器を収容可能な容器収容部と、
該容器収容部の近傍に配設された空気ダクトの空気の一部を前記容器収容部の内部へ導く空気導入部と、を備え、
該空気導入部が、
前記容器収容部に設けられた空気孔を覆うように、前記容器収容部に取付けられる中空のケーシングと、
該ケーシングに設けられた前記空気ダクトに対する連通口を密閉および開放するシャッター部と、
該シャッター部を開閉操作する操作部とを備えたことを特徴とするカップホルダー。
【請求項２】
請求項１に記載のカップホルダーであって、
前記空気孔が前記容器収容部の側面に形成され、
前記空気ダクトが前記容器収容部の側部下方に設置され、
前記ケーシングは、底面に前記連通口を有し、側部に前記空気孔を覆った状態で前記容器収容部の側面に当接固定される開口部を有することを特徴とするカップホルダー。
【請求項３】
請求項２に記載のカップホルダーであって、
前記シャッター部は、上部片と下部片と折返部とを有する上下折返形状を有し、
前記下部片は、前記ケーシングの前記底面に当接して前記連通口を閉塞するようになっていることを特徴とするカップホルダー。
【請求項４】
請求項３に記載のカップホルダーであって、
上下折返形状の前記シャッター部は、前記下部片の下面と、前記ケーシングの上面に当接される前記上部片の上面との少なくとも一方に、シール材を有していることを特徴とするカップホルダー。
【請求項５】
請求項１ないし請求項４のいずれか１項に記載のカップホルダーであって、
前記操作部は、
前記容器収容部内に一部が突出された状態で回動可能に設置される縦向きの操作ダイヤルと、
該操作ダイヤルと同軸に配置されたピニオンと、
前記シャッター部から上へ延びて前記ピニオンに噛み合うラックと、を有していることを特徴とするカップホルダー。
【請求項６】
請求項５に記載のカップホルダーであって、
前記操作ダイヤルに、前記シャッター部を少なくとも閉位置で保持するロック部が備えられていることを特徴とするカップホルダー。
【請求項７】
請求項６に記載のカップホルダーであって、
前記ロック部は、前記操作ダイヤルの周辺に設けられた係止用凸部と、
開位置と閉位置に合わせて前記操作ダイヤルに設けられた、前記係止用凸部に係止される一対の弾性爪部と、を有することを特徴とするカップホルダー。
【請求項８】
請求項１ないし請求項７のいずれか１項に記載のカップホルダーであって、
前記空気ダクトは、センターコンソールの内部を後方へ向けて通されるものであり、
前記容器収容部は、前記センターコンソールの上面に開口するように設けられていることを特徴とするカップホルダー。
【請求項９】
請求項１ないし請求項８のいずれか１項に記載のカップホルダーであって、
前記容器収容部は、複数設けられ、
前記操作部は、複数の前記容器収容部の間の連結部に設けられていることを特徴とするカップホルダー。
【発明の詳細な説明】
【技術分野】
【０００１】
この発明は、カップホルダーに関するものである。
【背景技術】
【０００２】
自動車などの車両には、車内に飲料容器を収容保持するためのカップホルダーが備えられている（例えば、特許文献１参照）。カップホルダーには、運転席と助手席との間に設けられるセンターコンソールに設置されるものなども存在している。
【先行技術文献】
【特許文献】
【０００３】
【特許文献１】特開平７−１７２２４４号公報
【発明の概要】
【発明が解決しようとする課題】
【０００４】
上記特許文献１に記載されたカップホルダーは、空気ダクトの空気の一部を利用して収容した飲料容器を冷やしたり温めたりできるようになっている。しかし、この種のカップホルダーには、空気ダクトの空気がカップホルダーの側へ無駄に漏れ出てしまうという問題があった。
【０００５】
そこで、本発明は、主に、上記した問題点を解決することを目的としている。
【課題を解決するための手段】
【０００６】
上記課題を解決するために、本発明は、
飲料容器を収容可能な容器収容部と、
該容器収容部の近傍に配設された空気ダクトの空気の一部を前記容器収容部の内部へ導く空気導入部と、を備え、
該空気導入部が、
前記容器収容部に設けられた空気孔を覆うように、前記容器収容部に取付けられる中空のケーシングと、
該ケーシングに設けられた前記空気ダクトに対する連通口を密閉および開放するシャッター部と、
該シャッター部を開閉操作する操作部とを備えたカップホルダーを特徴とする。
【発明の効果】
【０００７】
本発明によれば、上記構成によって、空気ダクトの空気のカップホルダーの側への漏れなどを抑制・低減できるようにする。
【図面の簡単な説明】
【０００８】
【図１】本実施の形態にかかるカップホルダーのセンターコンソールに対する設置状態を示す斜視図である。
【図１Ａ】図１の平面図である。
【図２】空気ダクトの空気の一部を容器収容部の内部へ導く空気導入部の構造を示す図であり、センターコンソールを図１ＡのＡ−Ａ線に沿って破断したカップホルダーの斜視図である。
【図３】シャッター部の閉状態を示すカップホルダーの縦断面図である。
【図４】シャッター部の開状態を示すカップホルダーの縦断面図である。
【図５】図１のカップホルダーの分解斜視図である。
【図６】図５のカップホルダーの組み立て状態を示す図である。
【図７】図６の空気導入部の斜視図である。
【図８】シール材の取付け状態を示すシャッター部の斜視図である。
【図９】ケーシングに対するシャッター部の取付け状態を示す空気導入部の斜視図である。
【図１０】操作部の構造を示す、図７の空気導入部の分解斜視図である。
【図１１】ロック部の構造を示す、操作部の拡大斜視図である。
【発明を実施するための形態】
【０００９】
以下、本実施の形態を、図面を用いて詳細に説明する。
図１〜図１１は、この実施の形態を説明するためのものである。
【実施例１】
【００１０】
＜構成＞以下、この実施例の構成について説明する。
【００１１】
図１（図１Ａ）に示すように、自動車などの車両の車室１内に、飲料容器２を収容保持するためのカップホルダー３を設ける。
【００１２】
ここで、カップホルダー３は、車室１内で飲料容器２を収容保持する装置であり、カップホルダー３には各種のものが存在している。カップホルダー３は、樹脂などによって形成される。
【００１３】
そして、この実施例のカップホルダー３を、以下のようなものとする。
【００１４】
（１）図２（図３、図４）に示すように、飲料容器２を収容可能な容器収容部１１と、
容器収容部１１の近傍に配設された空気ダクト１２の空気１３の一部を容器収容部１１の内部へ導く空気導入部１４と、を備えるようにしても良い。
空気導入部１４が、
容器収容部１１に設けられた空気孔１５を覆うように、容器収容部１１に取付可能な中空のケーシング１６と、
ケーシング１６に設けられた空気ダクト１２に対する連通口１７を密閉および開放可能なシャッター部１８と、
シャッター部１８を開閉操作可能な操作部１９とを備えても良い。
【００１５】
ここで、飲料容器２には、缶や、ビンや、ペットボトルや、カップや、水筒など各種のものが存在しているが、これらのどれであっても良い。
【００１６】
容器収容部１１は、カップホルダー３の本体を構成するものであり（カップホルダー本体）、飲料容器２の下部を収容可能な容器状とされる。この実施例では、容器収容部１１は、上端に開口部１１ａを有し、下端に底面部１１ｂを有し、開口部１１ａと底面部１１ｂとの間に筒状の側壁１１ｃを有するものなどとされている。側壁１１ｃは、ほぼ円筒状またはほぼ逆円錐台状などとされている。但し、容器収容部１１の形状はこれに限るものではない。
【００１７】
空気ダクト１２は、空調用の空気１３を車室１内に設けられた吹出口へ送るためのダクトである。吹出口は、車室１内の各所に設けられている。空気ダクト１２には、例えば、乗員の上体へ向けて吹出す空気１３を送るためのベンチレータダクトや、乗員の足元へ向けて吹出す空気１３を送るためのフットダクトや、窓雲り防止用の空気１３を送るためのデフロスタダクトなどが有り、これらには、前席用のものや後席用のものなどが有り、各種のものが存在しているが、どれでも良い。
【００１８】
空気１３は、空調装置を通して温度や湿度などが調整されたものであり、温風でも冷風でも良い。温風の場合には飲料容器２および飲料を温めることができ、冷風の場合には飲料容器２および飲料を冷やすことができる。
【００１９】
空気導入部１４は、容器収容部１１と空気ダクト１２との間を接続または連結するための接続部材または連結部材である。この実施例では、空気導入部１４は、ケーシング１６とシャッター部１８と操作部１９とを備えたユニットとされており（空気導入ユニット）、図５、図６に示すように、容器収容部１１に対して後から装着して使用できるように構成されている。例えば、空気導入部１４は、ネジなどの固定具２１によって横方向から容器収容部１１に固定されるようなものとしても良い。
【００２０】
この実施例では、容器収容部１１の側壁１１ｃに、空気導入部１４を取付けるための取付座２２が設けられている。取付座２２は、空気孔１５の外周を取り囲む閉ループ状または開ループ状のリブなどとされている。取付座２２は、空気導入部１４と容器収容部１１との間の気密性を高めるためには閉ループ状のリブ（気密性確保手段または気密性確保用リブ）とするのが好ましい。
【００２１】
取付座２２の近傍には、固定具２１に対するボスなどの止点部２３や、位置決めピン２４などが設けられている。止点部２３や位置決めピン２４は、容器収容部１１に対する空気導入部１４の取付方向や、固定具２１の取付け方向に沿って延びるものとされ、単数または複数箇所に設けることができる。この実施例では、止点部２３や位置決めピン２４は、取付座２２の上下に、対角方向に位置するように２箇所設けられているが、これに限るものではない。
【００２２】
そして、ケーシング１６は、容器収容部１１の高さ範囲内にほぼ収まるように、容器収容部１１の側壁１１ｃ（の外側）に設置される。そして、ケーシング１６は、取付座２２に嵌合するようにして容器収容部１１の側部に横方向から当接配置され、取付片２５に設けられた位置決め孔に位置決めピン２４が嵌め込まれることによって位置決めが行われ、取付片２５に設けられたネジ孔を通して止点部２３に固定具２１が横方向からねじ込まれることによって容器収容部１１に固定される。
【００２３】
空気孔１５は、容器収容部１１に形成された貫通孔などとされる。連通口１７を開くことにより、空気孔１５を介して容器収容部１１内へ空気１３が吹き出される。反対に、連通口１７を閉じることにより、空気孔１５を介しての容器収容部１１内への空気１３の吹き出しが停止される。空気孔１５は、容器収容部１１のどの位置にどのように形成しても良いが、空気ダクト１２に近い位置に形成するのが好ましい。空気孔１５の大きさや個数は、どのようにしても良い。なお、空気孔１５は、容器収容部１１に薄肉部として形成しておいたものを、空気導入部１４を取付ける仕様にする場合に開口して使用するようにしても良い。この場合、空気導入部１４を取付けない仕様では、薄肉部のまま塞いでおくことになる。空気孔１５の形状は、丸孔や角孔やその他の形状などとすることができる。
【００２４】
ケーシング１６は、空気ダクト１２の空気１３を容器収容部１１へ送るための空気通路となるものである。ケーシング１６は、空気ダクト１２の空気１３を容器収容部１１へ送ることができれば、どのような形状としても良い。この実施例では、図７に示すように、底面１６ａと上面１６ｂと側面１６ｃと端面１６ｄとを有するほぼ四角形状の縦断面（図３）を有する中空の箱体などとされている。ケーシング１６は、底面１６ａと上面１６ｂとが、ほぼ平行に配置され、また、ケーシング１６の縦断面は、幅寸法（横寸法）に対して上下寸法（縦寸法）が短くなっており、全体として平たい箱体などとなっている。このような構成とすることにより、ケーシング１６を小型化や薄型化して収まりの良いものにすることができる。但し、ケーシング１６の断面形状はこれに限るものではない。
【００２５】
連通口１７は、空気ダクト１２と連通するケーシング１６の開口のことである。連通口１７は、空気ダクト１２と直接連通させても良いし、空気ダクト１２に対して連通用部材などを介して間接的に連通させても良い。この実施例では、連通口１７は、通過する空気１３の抵抗が小さくなるように、一つの大きな角丸四角形状の穴を有するものとなっているが、連通口１７の大きさや形状や個数などは、上記に限るものではない。
【００２６】
シャッター部１８は、図８に示すようなものであり、図３、図４に示すように、単に連通口１７を開閉可能とするだけではなく、連通口１７を密閉可能または閉塞可能なもの（密閉用部材）とされる。この場合、密閉または閉塞とは、空気１３が漏れないように気密性を有して確実に塞ぐことである。気密性の程度は、空気ダクト１２を流れる空気１３の圧力に耐えられる程度で良い。そのために、シャッター部１８は、連通口１７を完全に覆うと共に、連通口１７を確実に密閉可能な形状や大きさを有するものとされる。また、シャッター部１８は、空気ダクト１２を流れる空気１３の圧力によって容易には開かないような重さを有するものなどとしても良い。但し、シャッター部１８の重さについては、他の構成（例えば、スプリングなどによる押圧機構や、保持機構など）によって補うことができれば、上記よりも軽く設定することができる。
【００２７】
操作部１９は、シャッター部１８を開閉操作するための機構であり、シャッター部１８によって連通口１７を閉じることで、同時に連通口１７がシャッター部１８によって密閉されるようなものとする。操作部１９は、どのような機構としても良い。例えば、リンク機構としたり、歯車機構としたり、その他の機構としたり、これらを組み合わせた機構としたりすることができる。この実施例では、シャッター部１８の位置を正確に規定したり保持したりできるように、歯車機構を用いている。また、操作部１９は、手動操作部としたり、電動操作部としたりすることができる。
【００２８】
（２）図２に示すように、空気孔１５が容器収容部１１の側面に形成されても良い。
空気ダクト１２が容器収容部１１の側部下方に設置されても良い。
図７に示すように、ケーシング１６は、底面１６ａに連通口１７を有し、側部に空気孔１５を覆った状態で容器収容部１１の側面に当接固定可能な開口部３１を有しても良い（図５、図６）。
【００２９】
ここで、空気孔１５は、容器収容部１１の側面（側壁１１ｃ）のどの位置に形成しても良いが、空気ダクト１２に最も近い側の側面の、空気ダクト１２に最も近い位置に形成するのが好ましい。この実施例では、図５に示すように、空気孔１５は、容器収容部１１の片側（空気ダクト１２の側）の側面の下部に形成されている。
【００３０】
また、この実施例では、空気孔１５は、１つの容器収容部１１の側面下部に対し、六角孔を上下左右に十文字状に配置したハニカム型のものを横に並べて二箇所に設けるようにしているが、空気孔１５の構成や配置は、これに限るものではない。この実施例では、六角孔状の空気孔１５をハニカム型に配置することにより、側壁１１ｃの強度を確保しつつ空気孔１５の開口面積を大きく取れるようにしている。また、１つの容器収容部１１に対して分散配置した二箇所のハニカム型の空気孔１５の間などには、補強用の縦リブなどを設けても良い。
【００３１】
空気ダクト１２は、容器収容部１１に対してどの位置に配置されても良いが、この実施例では、容器収容部１１よりも下側の容器収容部１１を避けた設置などに配置されている（図２）。
【００３２】
連通口１７は、ケーシング１６の底面１６ａのほぼ中央部に形成されている。連通口１７は、シャッター部１８で全周に亘って周縁部を押さえられるように、また、気密性を確保するための所要幅の重ね代が全周に亘って確保されるように、シャッター部１８よりも小さいものとされる（図３）。
【００３３】
開口部３１は、ケーシング１６における容器収容部１１の側の面（側面）に形成されている。この実施例の場合、ケーシング１６の側面は、全面が容器収容部１１の側壁１１ｃの下部に密着可能な形状の開口部３１とされているが、ケーシング１６の側面の一部に開口部３１を形成するようにしても良い。開口部３１を有するケーシング１６の側面は、容器収容部１１の側壁１１ｃの屈曲形状や凹凸形状に合った形状とされる。そのために、ケーシング１６の上面１６ｂと底面１６ａの開口部３１側の縁部には、容器収容部１１の側壁１１ｃにほぼ隙間なく合致する形状の切欠形状部が気密性を確保できるように形成される（図７）。
【００３４】
（３）図８に示すように、シャッター部１８は、上部片１８ａと下部片１８ｂと折返部１８ｃとを有する上下折返形状を有しても良い。
下部片１８ｂは、ケーシング１６の底面１６ａに当接して連通口１７を閉塞可能とされても良い（図３）。
【００３５】
ここで、シャッター部１８は、例えば、ケーシング１６の平坦な底面１６ａに沿ったほぼ平らな板状のものなどとすることができるが、この実施例では、上部片１８ａと下部片１８ｂと折返部１８ｃとを有する上下折返形状をしたほぼ板状の弾性変形体としている。弾性変形体とされたシャッター部１８は、面方向または連通口１７に対する開閉方向などに弾性変形が可能とされることで、気密性や密閉性を高められるようにしている。そして、上部片１８ａと下部片１８ｂとの間に間隙部１８ｄを形成している。折返部１８ｃは、容器収容部１１と反対側となる位置に形成される。これにより、上部片１８ａと下部片１８ｂとの間は、折返部１８ｃを設けた辺以外の辺（容器収容部１１側の辺、および、これに隣接する両端辺）が開放される。
【００３６】
上部片１８ａと下部片１８ｂは、側面視でほぼ平行にすることができるが、この実施例では、下部片１８ｂを連通口１７の周縁部に弾接させ得るように、上部片１８ａと下部片１８ｂとを僅かに傾斜させて、上部片１８ａと下部片１８ｂとの間隙部１８ｄを、容器収容部１１の側が折返部１８ｃの側よりも僅かに広くなるようにしている（図３）。この実施例では、下部片１８ｂをケーシング１６の底面１６ａとほぼ平行に配置して、上部片１８ａを底面１６ａに対して僅かに傾斜させるなどしている。但し、下部片１８ｂと上部片１８ａの傾斜の状態は、上記とは逆にしても良いし、これらの中間の状態にしても良い。
【００３７】
少なくとも、下部片１８ｂは、連通口１７よりも大きくして、連通口１７の全体を塞ぎ得るようになっているが、上部片１８ａについても下部片１８ｂとほぼ同様の大きさや形状などにすることができる。この際、上部片１８ａと下部片１８ｂは、容器収容部１１の側壁１１ｃなどから離間されるように、折返部１８ｃと反対側の辺部の位置が設定される。なお、構造的には、上部片１８ａは、下部片１８ｂよりも大きなものとしたり、小さなものとしたりできる。また、上部片１８ａは、下部片１８ｂとは異なる形状にすることもできる。
【００３８】
折返部１８ｃは、上部片１８ａと下部片１８ｂとの間に形成された曲げ形状の部分であり、弾性変形によって上記した連通口１７に対するシャッター部１８の押圧手段などとなるものである。
【００３９】
（４）図８に示すように、上下折返形状のシャッター部１８は、下部片１８ｂの下面と、ケーシング１６の上面１６ｂに当接される上部片１８ａの上面との少なくとも一方に、シール材３５を有しても良い。
【００４０】
ここで、シール材３５は、シャッター部１８が単独で所要のシール性を確保できるのであれば必ずしも必要ないが、シール性をより確実にするためには、シール材３５を設けるのが好ましい。シール材３５は、例えば、ゴム系や発泡樹脂系の材料や、これと同等の材料などで形成することができる。シール材３５は、例えば、裏面に粘着層が形成されたシート材などを所要の形状に加工して形成することができる。
【００４１】
シール材３５は、下部片１８ｂの下面のみに設けても良いし、上部片１８ａの上面のみに設けても良いし、または、これらの両方に設けても良い。シール材３５は、下部片１８ｂの下面に設けるものが主となり、上部片１８ａの上面に設けるものが従となるものであるが、この実施例では、両方のシール材３５を備えている。
【００４２】
下部片１８ｂの下面のシール材３５は、下部片１８ｂによって連通口１７を閉じたときに（図３）、連通口１７の周縁部の全周を所要の幅でシール可能な閉ループ状のものなどとすることができる。そのために、このシール材３５は、下部片１８ｂの下面に、連通口１７の周縁部を取り囲むように取付けられる。
【００４３】
また、上部片１８ａの上面のシール材３５は、連通口１７を開いたときに（図４）、ケーシング１６の上面１６ｂや容器収容部１１の取付座２２とシャッター部１８との間にできる隙間などを塞ぐためものなどとされる。このシール材３５は、上部片１８ａの上面に取付けられる。
【００４４】
なお、下部片１８ｂの下面のシール材３５と、上部片１８ａの上面のシール材３５は、同じ材質で同じ肉厚のものとすることができるが、異なる材質のものとしたり、異なる肉厚のものとしたりすることもできる。
【００４５】
シャッター部１８は、シール材３５が取付けられた後で、図９に示すように、開口部３１の側からケーシング１６の内部に収容設置される。
【００４６】
（５）図３に示すように、操作部１９は、
容器収容部１１内に一部が突出された状態で回動可能に設置される縦向きの操作ダイヤル４１と、
操作ダイヤル４１と同軸に配置されたピニオン４２と、
シャッター部１８から上へ延びてピニオン４２に噛み合うラック４３と、を有しても良い。
【００４７】
ここで、操作部１９には、ラックアンドピニオン機構などの歯車機構が採用されている。ラックアンドピニオン機構とすることによって、操作部１９は構成が簡略化できる。
【００４８】
操作ダイヤル４１は、ほぼ円弧状またはほぼ円形状のダイヤル操作部４１ａを有している。ダイヤル操作部４１ａは、指で直接操作するための接触部分または操作部分である。ダイヤル操作部４１ａの外周部には、滑り止めとなるような比較的粗い凹凸部（滑り止め部）などを形成しても良い。容器収容部１１内に突出状態で配置されるのは、主にこのダイヤル操作部４１ａである。ダイヤル操作部４１ａを下方向へ回動することにより、ピニオン４２およびラック４３を介してシャッター部１８が上昇し、連通口１７が開く。反対に、ダイヤル操作部４１ａを上方向へ回動することにより、ピニオン４２およびラック４３を介してシャッター部１８が下降し、連通口１７が閉じる。
【００４９】
ピニオン４２は、円形状のギヤとしても良いし、半円形や扇形などのセクタギヤとしても良い。この実施例では、図１０に示すように、ピニオン４２を、ダイヤル操作部４１ａの部分を除いた形状のセクタギヤにしている。セクタギヤとされたピニオン４２は、ダイヤル操作部４１ａとは周方向の反対側の位置に歯部を有している。この実施例では、ピニオン４２は、ダイヤル操作部４１ａとは別の部材で構成すると共に、ダイヤル操作部４１ａと一体に回転されるようにしている。
【００５０】
ラック４３は、図３に示すように、ほぼ上下方向４４へ延びるものとされる。より詳しくは、ラック４３は、容器収容部１１の側面形状などに合わせた傾斜を有するものとされる。この傾斜は、側方から見て上へ向かうに従い容器収容部１１から離れる方向へ向かうものとされる。
【００５１】
これに合わせて、ケーシング１６の開口部３１とは反対側の側面１６ｃは、シャッター部１８の折返部１８ｃとの干渉を防止しつつ折返部１８ｃの斜めの上下移動を案内し得るようにするために、傾斜したラック４３とほぼ平行な面とされている。シャッター部１８の折返部１８ｃは、ケーシング１６の側面１６ｃに沿って摺接移動するように形成しても良いし、または、ケーシング１６の側面１６ｃから若干離間した状態で移動するように形成しても良い。
【００５２】
また、ケーシング１６の上面１６ｂには、ラック４３を通すための切欠部１６ｅなどが形成される（図１０）。そして、容器収容部１１の取付座２２には、切欠部１６ｅを塞ぐための突出部２２ａが形成される（図５）。突出部２２ａは、切欠部１６ｅとほぼ同じ幅や長さを有して、切欠部１６ｅ内へ挿入配置されるものとしても良いし、または、切欠部１６ｅよりも大きなものとして、ケーシング１６の上面１６ｂに上側や下側から接して切欠部１６ｅを塞ぐようなものとしても良いし、これらを組み合わせたものとしても良い。
【００５３】
また、連通口１７を開いたときに、切欠部１６ｅと突出部２２ａとの間にできる隙間は、既に上記したように、上部片１８ａの上面のシール材３５によっても塞ぐことができる（図４）。上部片１８ａの上面のシール材３５は、ラック４３を挿入可能な穴部を有するものなどとされる（図８）。
【００５４】
図９に示すように、ケーシング１６の上面１６ｂよりも上側には、ラック４３の背面を保持すると共に、ラック４３の斜めの上下移動を背面側から案内するための背面案内部４５が一体に形成されても良い。背面案内部４５は、ラック４３と平行になるように斜めに形成される。背面案内部４５は、ケーシング１６の上面１６ｂに設けられたガイドリブ４６に一体に形成される。ガイドリブ４６は、操作ダイヤル４１と平行な面とされる。ガイドリブ４６は、ラック４３の側面を案内するための側面案内部として設けることができる。ガイドリブ４６や背面案内部４５には、必要に応じて更に補強リブ４７を設けても良い。この実施例では、背面案内部４５の背面側に、ガイドリブ４６とほぼ平行な補強リブ４７が形成されている。
【００５５】
ラック４３は、シャッター部１８と一体に形成しても良いし、または、シャッター部１８とは別体に形成して、シャッター部１８に取付けて一体化するようにしても良い。ラック４３をシャッター部１８と別体に形成する場合には、例えば、ラック４３の下端部にシャッター部１８に対する取付面部を形成し、シャッター部１８の上部片１８ａにラック４３を取付けるためのスリット部などを設けて、スリット部にラック４３の下端側の部分を横から通した後に、取付面部を上部片１８ａの下面に固定することで一体化される。取付面部は、スリット部を塞ぎ得る形状などにするのが好ましい。
【００５６】
シャッター部１８（の上部片１８ａなど）に対し、ラック４３は、側方から見て、容器収容部１１と折返部１８ｃとの間の中間位置に設置される（図３）。この実施例では、ラック４３を容器収容部１１と折返部１８ｃとの間の中央部よりも若干折返部１８ｃ寄りの位置に設けることで、操作ダイヤル４１やピニオン４２の径寸法をより大きく確保できるようにして、操作部１９の操作性が良くなるようにしている。
【００５７】
（６）図１０、図１１に示すように、操作ダイヤル４１に、シャッター部１８を少なくとも閉位置で保持するロック部５１が備えられても良い（図３、図４）。ロック部５１は、シャッター部１８を開位置と閉位置でそれぞれ保持するようにしても良い。
【００５８】
ここで、ロック部５１は、上記したシャッター部１８の保持機構などとなるものであり、主に、シャッター部１８を閉位置にて確実に停止保持させて、密閉性を維持し続けられるようにするために設けられる（密閉性維持手段）。これに対し、ロック部５１を設けない場合には、空気ダクト１２を流れる空気１３の圧力によって閉止状態が変化され、連通口１７から空気１３が漏れ出るおそれが生じるので、ロック部５１は設けた方が好ましい。
【００５９】
また、ロック部５１は、シャッター部１８を開位置で確実に停止保持させるために設けられる。これに対し、ロック部５１を設けない場合には、連通口１７の開度が安定せず、また、シャッター部１８が自重などで下がることで、容器収容部１１へ送られる空気１３の量が不用意に減少されるおそれなどが生じるので、ロック部５１は設けた方が好ましい。
【００６０】
ロック部５１は、どこにどのように設けても良い。例えば、ロック部５１は、容器収容部１１とシャッター部１８との間に設けることができる。また、例えば、ロック部５１は、空気導入部１４のケーシング１６とシャッター部１８との間に設けることができる。この実施例では、操作部１９、特に、操作ダイヤル４１の周辺に設けるようにしている。
【００６１】
（７）図１０、図１１に示すように、ロック部５１は、操作ダイヤル４１の周辺に設けられた係止用凸部６２と、
開位置と閉位置に合わせて操作ダイヤル４１に設けられた、係止用凸部６２に係止される一対の弾性爪部６３，６４と、を有しても良い（図３、図４）。
【００６２】
ここで、ケーシング１６には、操作ダイヤル４１の側面を保持する保持部６１が設けられる。係止用凸部６２は、ケーシング１６などの固定側の部分に設けられる。例えば、ケーシング１６に設けられたガイドリブ４６に対し、操作ダイヤル４１の片側の側面と対向するように保持部６１が一体に形成（突設）され、保持部６１または保持部６１の周辺に係止用凸部６２が設けられる。この際、保持部６１は、操作ダイヤル４１側の面に、側方から見てほぼ円形状をした環状突起６１ａを有しても良い。環状突起６１ａは、操作ダイヤル４１の側面に対して線接触可能なものとされる。なお、環状突起６１ａを設けない場合には、操作ダイヤル４１の側面に対して保持部６１が面接触されることになる。環状突起６１ａは、全周がほぼ一定の高さに形成されている。保持部６１は、環状突起６１ａのほぼ突出量程度分の段差部を有して、ガイドリブ４６に一体に形成されている。
【００６３】
環状突起６１ａの中心部には、操作ダイヤル４１の回転軸となるボス部６１ｂが一体に形成（突設）されている。ボス部６１ｂは環状突起６１ａよりも長く延ばされている。
【００６４】
これに対し、操作ダイヤル４１は、ほぼ円形状をしたベース部４１ｂを有している。ベース部４１ｂの一方の側面は、環状突起６１ａの先端部に摺接される。ベース部４１ｂの一方の側面には、環状突起６１ａの外周に案内される円形状や円弧状の案内部などを突設しても良い。操作ダイヤル４１のダイヤル操作部４１ａは、円形状のベース部４１ｂの容器収容部１１側の周縁部に部分的に形成されている。ダイヤル操作部４１ａは、ほぼベース部４１ｂとピニオン４２とを足した厚みなどとなるように形成される。そして、ベース部４１ｂとピニオン４２とがダイヤル操作部４１ａの厚みの範囲内に収まるようにベース部４１ｂは、ダイヤル操作部４１ａに対して片寄せて形成されても良い。
【００６５】
操作ダイヤル４１のベース部４１ｂとピニオン４２は、その中心部に形成された軸穴をボス部６１ｂに通した状態で、保持部６１の反対側（外側）からスプリングワッシャ６５や固定ネジ６６などを用いて、保持部６１に回動自在に取付けられる。ボス部６１ｂは、ほぼベース部４１ｂとピニオン４２とを足した厚みとほぼ等しい長さに形成される。
【００６６】
係止用凸部６２は、保持部６１における、操作ダイヤル４１側の面に一体に形成される。係止用凸部６２は、環状突起６１ａよりも外周側の位置に環状突起６１ａよりも高くなるように形成される。係止用凸部６２は、環状突起６１ａとつなげて形成しても良いし、環状突起６１ａから離して形成しても良い。係止用凸部６２は、弾性爪部６３，６４に対し、共通のものとして単数設けても良いし、弾性爪部６３，６４のそれぞれに対して、各１個ずつ合計２個設けても良い。
【００６７】
弾性爪部６３，６４は、円形状のベース部４１ｂにおける、ダイヤル操作部４１ａとほぼ反対側の位置に一対形成される。弾性爪部６３，６４は、円形状のベース部４１ｂの周縁部の位置などに、周縁部にほぼ沿って部分的に形成される。弾性爪部６３，６４は、ベース部４１ｂの周縁部から外方へ突出するように形成しても良いし、ベース部４１ｂの周縁部を切欠いて周縁部内に形成しても良い。この実施例では、弾性爪部６３，６４は、ピニオン４２の歯部よりも内側となるように形成されている。
【００６８】
一対の弾性爪部６３，６４は、一方の弾性爪部６３がシャッター部１８を閉位置で保持し（図３）、他方の弾性爪部６４がシャッター部１８を開位置で保持するものとなっている（図４）。弾性爪部６３，６４は、円形状のベース部４１ｂのほぼ周方向へ延びる弾性アーム部６３ａ，６４ａと、この弾性アーム部６３ａ，６４ａの先端部または先端近傍に設けられた爪部６３ｂ，６４ｂとを有している。一対の弾性アーム部６３ａ，６４ａは、互いに向かい合わせに形成され、爪部６３ｂ，６４ｂは、一対の弾性アーム部６３ａ，６４ａの内周側に形成されている。係止用凸部６２は、一対の弾性アーム部６３ａ，６４ａ間となる位置に形成されている。なお、図３、図４では、機構が理解し易いように、ピニオン４２を操作ダイヤル４１の背面側に実線で描いているが、実際の構成はこの限りではない。
【００６９】
（８）図２に示すように、空気ダクト１２は、センターコンソール７１の内部を後方へ向けて通されるものとしても良い。
容器収容部１１は、センターコンソール７１の上面７１ａに開口するように設けられても良い。
【００７０】
ここで、空気ダクト１２は、（車両）前方（のインストルメントパネル内）から（車両）後方へ延びて後部座席へ空調用の空気１３を送るためのリヤダクトとされる。空気ダクト１２は、センターコンソール７１内の容器収容部１１の底面部１１ｂよりも低い位置などに配設されている。なお、空気ダクト１２は、構造的には、センターコンソール７１の内部空間全体を使って設けることや、上記とは別の位置に配置することなどもできる。
【００７１】
センターコンソール７１は、運転席と助手席との間に設けられる大型の内装部品である。センターコンソール７１には、カップホルダー３以外に、シフトレバーや、コンソールボックスなどを設けることができる。このセンターコンソール７１に対し、カップホルダー３の容器収容部１１は、センターコンソール７１の前寄りの位置に設けられる。但し、センターコンソール７１に対するカップホルダー３の設置場所についてはこれに限るものではない。例えば、カップホルダー３は、センターコンソール７１の後部に、後席用として設けても良い。容器収容部１１は、センターコンソール７１に対し飲料容器２を上から挿入して飲料容器２の底部を保持するものとなる。
【００７２】
（９）図１に示すように、容器収容部１１は、複数設けられても良い。
操作部１９は、複数の容器収容部１１の間の連結部８１に設けられても良い。
【００７３】
ここで、容器収容部１１は、例えば、運転席乗員用および助手席乗員用として、２個またはそれ以上設けることができる。但し、容器収容部１１の設置個数はこれに限るものではない。複数の容器収容部１１は、ほぼ車両前後方向に並べて配置され、連結部８１によって連結することができる（２連容器または多連容器）。複数の容器収容部１１間の連結部８１は、各容器収容部１１の底面部１１ｂよりも浅く、容器収容部１１の幅よりも狭い凹部などとすることができる。連結部８１の縦断面形状は、側面視ほぼＶ字状やＵ字状などとされている。ラック４３は、連結部８１における空気導入部１４側の側壁８１ａの傾斜に合わせた角度に傾斜されている。なお、空気導入部１４は、複数の容器収容部１１へ同時に空気１３を送れるように、ケーシング１６を複数の容器収容部１１間に亘って車両前後方向へ長く延びるものとしている。
【００７４】
また、図２に示すように、操作部１９は、連結部８１の側壁８１ａの位置でダイヤル操作部４１ａが露出するように設置されている。連結部８１の側壁８１ａには、ダイヤル操作部４１ａを露出させるためのスリット８１ｂが形成される。連結部８１の位置に操作部１９を設けることにより、容器収容部１１への飲料容器２の収納の妨げにならないようにしつつ、連通口１７をより大きく形成することなどが可能になる。
【００７５】
＜作用＞以下、この実施例の作用について説明する。
【００７６】
カップホルダー３は、車室１内で飲料容器２を収容保持するための装置である。カップホルダー３に飲料容器２を入れることで、乗員は、飲料容器２を持ち続ける必要がなくなり、車室１内に安定した状態で収容保持しておくと共に、好きなときに飲料を取り出して飲むことができるようになる。
【００７７】
カップホルダー３には、様々なものがあるが、空気ダクト１２の空気１３の一部を利用して容器収容部１１に収容された飲料容器２を空気１３で冷やしたり温めたりするようにした温冷式のものが存在している。これにより、飲料を最適温度に保つことができる。
【００７８】
＜効果＞この実施例によれば、以下のような効果を得ることができる。
【００７９】
（効果  １）容器収容部１１と空気ダクト１２との間に空気導入部１４を設けても良い。これにより、空気ダクト１２の空気１３の一部を、空気導入部１４を用いて容器収容部１１の内部へ導くことができ、これによって、容器収容部１１に収容された飲料容器２を空調用の空気１３で冷やしたり温めたりすることができる。
【００８０】
空気導入部１４を、ケーシング１６と、シャッター部１８と、操作部１９とで構成しても良い。これにより、空気導入部１４を、ユニット化して取扱い易い部品にまとめることができる。よって、飲料容器２を冷やしたり温めたりできる温冷式のカップホルダー３を簡単に構成できる。
【００８１】
操作部１９でシャッター部１８を開閉操作することによって、簡単に、連通口１７から中空のケーシング１６へ空気１３を取り込んで空気孔１５から容器収容部１１の内部へ吹き出させたり、連通口１７を密閉して中空のケーシング１６から容器収容部１１の内部への空気１３の吹き出しを停止したりできる。このため、飲料容器２の有無や、飲料容器２に対する温度調整の必要性などに応じて、空気導入部１４を最適に使用し、容器収容部１１内への空気１３の吹き出しおよび停止を行わせることができる。
【００８２】
この際、シャッター部１８が、連通口１７を密閉可能なものとなっていることによって、連通口１７からの空気１３の漏れをなくしたり漏れを低減したりすることができる。このように、空気１３の漏れを抑制・低減することによって、空気ダクト１２の空気１３を無駄なく使用することが可能になる。そのため、空気ダクト１２の空気１３をより有効に空調に使用できると共に、必要なときに空気ダクト１２の空気１３を必要なだけ使って飲料容器２を効率的に冷やしたり温めたりすることができる。
【００８３】
（効果  ２）ケーシング１６が、底面１６ａに空気ダクト１２との連通口１７を有し、側部に容器収容部１１へ取付けるための開口部３１を有するようにしても良い。これにより、ケーシング１６は、容器収容部１１の側壁１１ｃなどへの取付けに適したものとなり、小型に形成できるものとなる。そのため、空気導入部１４が、容器収容部１１とは別体で、容器収容部１１に組み付けて使用可能なものになる。よって、空気導入部１４を別体化した分、容器収容部１１やケーシング１６の形状や構造を簡略化でき、空気導入部１４を、容器収容部１１に簡単に取付け可能なものにできる。
【００８４】
（効果  ３）シャッター部１８は、上部片１８ａと下部片１８ｂと折返部１８ｃとを有する上下折返形状を有しても良い。これにより、シャッター部１８の肉厚を増やすことなくシャッター部１８の全体としての厚みを増やすことができる。そのため、ケーシング１６の容積を大きくして、容器収容部１１の内部へ導き得る空気１３の量を増やすような場合に、シャッター部１８をケーシング１６に対応した形状や構造に容易に形成できる。
【００８５】
また、シャッター部１８を、上部片１８ａと下部片１８ｂと折返部１８ｃとを有する上下折返形状にすることで、折返部１８ｃを中心とする上部片１８ａと下部片１８ｂとの弾性変形を利用してシャッター部１８を連通口１７に弾接または圧接させ、シャッター部１８の連通口１７に対する密閉性を確保・向上することができる。よって、連通口１７に対する密閉性の高いシャッター部１８を得ることができる。
【００８６】
また、上部片１８ａと下部片１８ｂとの間に形成される間隙部１８ｄは、空気孔１５を通して容器収容部１１へ空気１３を送る際に、空気１３の通路として使用することができる。
【００８７】
（効果  ４）下部片１８ｂの下面と上部片１８ａの上面の少なくとも一方にシール材３５を有しても良い。これにより、シール材３５によって、連通口１７とシャッター部１８との間のシール性や、ケーシング１６とシャッター部１８との間のシール性を高めることができる。そのため、一層確実に空気ダクト１２からの空気１３の漏れを防止できる。
【００８８】
（効果  ５）操作部１９が、回動可能な縦向きの操作ダイヤル４１とピニオン４２とラック４３とを有しても良い。これにより、操作部１９を簡単な機構で構成することができる。また、縦向きの操作ダイヤル４１を回動操作することで、ピニオン４２およびラック４３を介してシャッター部１８が上下に移動するので、連通口１７に対するシャッター部１８の開閉操作が確実にできる。よって、操作部１９を、密閉性の高いシャッター部１８の操作に適した機構にすることができる。
【００８９】
（効果  ６）操作ダイヤル４１にロック部５１が備えられても良い。これにより、ロック部５１によって、操作ダイヤル４１を少なくとも閉位置、または、開位置や閉位置で確実に保持できる。よって、シャッター部１８も少なくとも閉位置、または、開位置や閉位置にて確実に保持させることができる。そして、シャッター部１８を閉位置でロックさせることにより、シャッター部１８が連通口１７を確実に密閉されるので、連通口１７からの空気１３の漏れを高いレベルで遮断できる。また、シャッター部１８を開位置でロックさせることにより、シャッター部１８が連通口１７を確実に開くので、連通口１７から入った空気１３を十分に容器収容部１１へ送ることができる。
【００９０】
（効果  ７）ロック部５１は、係止用凸部６２と一対の弾性爪部６３，６４とを有するものとしても良い。これにより、操作ダイヤル４１の周辺に設けた係止用凸部６２に、操作ダイヤル４１に設けた一対の弾性爪部６３，６４のうちのどちらかが係止されることで、操作ダイヤル４１を開位置または閉位置にてシャッター部１８を確実にロック（停止）させることができる。この際、係止用凸部６２に対する弾性爪部６３，６４との係止や係止解除によって、操作感（クリック感）が発生されるので、確実に作動されるようにすることができる。よって、簡単な構造で有効に機能するロック部５１が実現できる。
【００９１】
（効果  ８）空気ダクト１２は、センターコンソール７１の内部を通して後方へ空気１３を送るものとしても良い。これにより、車両後方（後部座席）に対する空調が可能になると共に、車両後方（後部座席）への空調用の空気１３の漏れを防止することができる。そして、センターコンソール７１の内部を通して後方へ送られる空気ダクト１２の空気１３の一部をカップホルダー３に利用することで、センターコンソール７１の上面７１ａに開口するように設けられた容器収容部１１に対しても、飲料容器２を冷やしたり温めたりすることが可能になる。
【００９２】
（効果  ９）複数の容器収容部１１間の連結部８１に操作部１９を設けても良い。これにより、容器収容部１１への飲料容器２の収納の邪魔にならない位置に、操作部１９をスペース効率良く設置できる。そのため、容器収容部１１へ飲料容器２を収納した状態であっても、操作部１９を操作することが可能になる。
【符号の説明】
【００９３】
２      飲料容器
３      カップホルダー
１１    容器収容部
１２    空気ダクト
１３    空気
１４    空気導入部
１５    空気孔
１６    ケーシング
１６ａ  底面
１６ｂ  上面
１６ｃ  側面
１７    連通口
１８    シャッター部
１８ａ  上部片
１８ｂ  下部片
１８ｃ  折返部
１９    操作部
３１    開口部
３５    シール材
４１    操作ダイヤル
４２    ピニオン
４３    ラック
５１    ロック部
６１    保持部
６２    係止用凸部
６３    弾性爪部
６４    弾性爪部
７１    センターコンソール
７１ａ  上面
８１    連結部
【図１】
2020147216.tif 000003
【図１Ａ】
2020147216.tif 000004
【図２】
2020147216.tif 000005
【図３】
2020147216.tif 000006
【図４】
2020147216.tif 000007
【図５】
2020147216.tif 000008
【図６】
2020147216.tif 000009
【図７】
2020147216.tif 000010
【図８】
2020147216.tif 000011
【図９】
2020147216.tif 000012
【図１０】
2020147216.tif 000013
【図１１】
2020147216.tif 000014